(57)【要約】【課題】  駆動源を有さずに蛍光体を効率的に冷却可能で、稼働時におけるエネルギ消費が少ない蛍光体ホイール、及びこの蛍光体ホイールを備えた光源装置を提供する。【解決手段】  光入射領域７０を有する密封筐体４を備える回転基板２と、前記密封筐体４の中に封入された蛍光体１０及び冷媒と、前記冷媒を冷却して気体から液体に変化させる冷却装置３０と、を備え、蛍光体１０は、少なくとも光入射領域７０に配置され、冷却装置３０は、光入射領域７０よりも回転基板２の回転軸４０ａに近い位置において密封筐体４に接続されている蛍光体ホイール５０、及びこの蛍光体ホイール５０を備えた光源装置６０を提供する。【選択図】図１
2017027685.tif 000002
【特許請求の範囲】
【請求項１】
光入射領域を有する密封筐体を備える回転基板と、
前記密封筐体の中に封入された蛍光体及び冷媒と、
前記冷媒を冷却して気体から液体に変化させる冷却装置と、
を備え、
前記蛍光体は、少なくとも前記光入射領域に配置され、
前記冷却装置は、前記光入射領域よりも前記回転基板の回転軸に近い位置において前記密封筐体に接続されていることを特徴とする蛍光体ホイール。
【請求項２】
前記密封筐体の中に、液状の前記冷媒を流動可能な複数の微細流路を有する流動部を備え、
前記微細流路の少なくとも一部が、粒子と粒子の間の空隙によって形成され、
前記粒子に前記蛍光体の粒子が含まれることを特徴とする請求項１に記載の蛍光体ホイール。
【請求項３】
前記流動部が、前記密封筐体内の一部の領域にのみ配置されていることを特徴とする請求項２に記載の蛍光体ホイール。
【請求項４】
前記流動部において、前記光入射領域に、種類の異なる前記粒子で形成された複数の層または単一の層が形成されていることを特徴とする請求項２または３に記載の蛍光体ホイール。
【請求項５】
前記微細流路が、前記冷却装置が配置された領域及び前記光入射領域を繋ぐように延びていることを特徴とする請求項２から４の何れか１項に記載の蛍光体ホイール。
【請求項６】
前記粒子に光拡散材粒子が含まれることを特徴とする請求項２から５の何れか１項に記載の蛍光体ホイール。
【請求項７】
前記微細流路の一部が、前記密封筐体の内面に設けられた複数の溝によって形成されることを特徴とする請求項２から６の何れか１項に記載の蛍光体ホイール。
【請求項８】
前記微細流路の一部が、メッシュ状の部材によって形成されることを特徴とする請求項２から７の何れか１項に記載の蛍光体ホイール。
【請求項９】
請求項１から８の何れか１項に記載の蛍光体ホイールと、
前記蛍光体ホイールに光を出射する光源と、
を備えた光源装置。
【発明の詳細な説明】
【技術分野】
【０００１】
本発明は、光が入射すると入射光と異なる波長の光を発光する蛍光体を備えた蛍光体ホイール、及びこの蛍光体ホイールを備えた光源装置に関する。
【背景技術】
【０００２】
異なる波長域の光を発光する複数の蛍光体を備えた蛍光体ホイールを回転させ、回転した基板に光源から光を入射して、異なる波長域の光を時分割で出射する光源装置が知られている。このような蛍光体を備えた蛍光体ホイールでは、波長変換の際に蛍光体の温度が上昇して、蛍光体の光変換効率が低下する問題が生じる可能性がある。
このような問題に対処するため、外面に蛍光体層を有する複数の羽状部材が回転する蛍光体ホイールにおいて、羽状部材にヒートシンクを備えたものが提案されている（特許文献１参照）。
【先行技術文献】
【特許文献】
【０００３】
【特許文献１】特開２０１４−８５５５５号
【発明の概要】
【発明が解決しようとする課題】
【０００４】
本発明の目的は、駆動源を有さずに蛍光体を効率的に冷却可能で、稼働時におけるエネルギ消費が少ない蛍光体ホイール、及びこの蛍光体ホイールを備えた光源装置を提供することにある。
【課題を解決するための手段】
【０００５】
上記の課題を解決するため、本発明の１つの実施態様に係る蛍光体ホイールは、光入射領域を有する密封筐体を備える回転基板と、前記密封筐体の中に封入された蛍光体及び冷媒と、前記冷媒を冷却して気体から液体に変化させる冷却装置と、を備え、前記蛍光体は、少なくとも前記光入射領域に配置され、前記冷却装置は、前記光入射領域よりも前記回転基板の回転軸に近い位置において前記密封筐体に接続されていることを特徴とする。
【０００６】
本発明の１つの実施態様に係る光源装置は、上記の実施態様の蛍光体ホイールと、前記蛍光体ホイールに光を出射する光源と、を備えている。
【発明の効果】
【０００７】
以上のように、本開示によれば、駆動源を有さずに蛍光体を効率的に冷却可能で、稼働時におけるエネルギ消費が少ない蛍光体ホイール、及びこの蛍光体ホイールを備えた光源装置を提供することができる。
【図面の簡単な説明】
【０００８】
【図１】本発明の１つの実施形態に係る蛍光体ホイール及びこの蛍光体ホイールを備えた光源装置を示す模式的に示す断面図である。
【図２】本発明のその他の実施形態（その１）に係る蛍光体ホイール及びこの蛍光体ホイールを備えた光源装置を示す模式的に示す断面図である。
【図３】本発明のその他の実施形態（その２）に係る蛍光体ホイール及びこの蛍光体ホイールを備えた光源装置を示す模式的に示す断面図である。
【図４】本発明のその他の実施形態（その３）に係る蛍光体ホイール及びこの蛍光体ホイールを備えた光源装置を示す模式的に示す断面図である。
【図５】（ａ）複数の溝によって形成された微細流路を有す蛍光体ホイールの一例の外形を示す模式図、及び（ｂ）密封筐体４の内部に設けられた微細流路の一例を示す模式図である。
【図６】本発明のその他の実施形態（その４）に係る蛍光体ホイール及びこの蛍光体ホイールを備えた光源装置を示す模式的に示す断面図である。
【図７】本発明のその他の実施形態（その５）に係る蛍光体ホイール及びこの蛍光体ホイールを備えた光源装置を示す模式的に示す断面図である。
【図８】本発明に係る光源装置を備えたプロジェクタの１つの実施形態の構成を示す模式図である。
【発明を実施するための形態】
【０００９】
（本発明の１つの実施形態に係る蛍光体ホイール及びこの蛍光体ホイールを備えた光源装置の説明）
はじめに、図１を用いて、本発明の１つの実施形態に係る蛍光体ホイール及びこの蛍光体ホイールを備えた光源装置について、その概要を説明する。図１は、本発明の１つの実施形態に係る蛍光体ホイール５０及びこの蛍光体ホイール５０を備えた光源装置６０を模式的に示す断面図である。
【００１０】
図１に示すように、光源装置６０は、蛍光体ホイール５０と、蛍光体ホイール５０に光を出射する光源５２とを備える。本実施形態では、光源５２として、半導体レーザ（ＬＤ）が用いられている。光源のなかでも特に半導体レーザ（ＬＤ）は光出力が大きく、蛍光体で発生する発熱量も大きくなることから、本実施形態では、半導体レーザ（ＬＤ）を用いた光源装置がとくに有効である。しかしながら、これに限られるものではなく、発光ダイオード（ＬＥＤ）をはじめとするその他の任意の光源を用いることはできる。また本実施形態では、光源５２として、青色光を発する半導体レーザ（ＬＤ）が用いられている。
【００１１】
蛍光体ホイール５０は、冷媒が封入された密封筐体４を備えた回転基板２と、密封筐体４内の気化された冷媒を冷却するための冷却装置３０を備える。また、回転軸４０ａを中心に回転基板２を回転させる駆動装置４０を備えていてもよい。
【００１２】
ここで、冷媒とは、蛍光体の温度上昇により液体から気体に変化し（気化）、冷却装置による冷却で気体から液体に変化する（液化）流体である。具体的には、冷媒として、水、特に純水が好ましく、温度条件や密封筐体内の圧力によっては、アルコールやアンモニアを用いることも考えられる。
冷媒の量は、液体の状態で、密封筐体４の内部の体積に対して１０％（体積）以下が好ましいが、気化した冷媒によって、密封筐体４の内部圧力が高くなりすぎない程度がよい。つまりは、温度、冷却能力、内部圧力、密封筐体４の強度（漏れの防止）等を考慮して、最適な冷媒の量を定めることが好ましい。
【００１３】
密封筐体４は、液化した冷媒及び気化した冷媒が外部へ漏れることのない密閉構造の筐体である。密封筐体４は、密封筐体４の全ての面が透光性を有する場合も、一部の面が透光性を有する場合も、１つの面の一部だけが透光性を有する場合もあり得る。密封筐体４は、金属材料、樹脂材料、ガラス、セラミック等の材料、またはそれらの組み合わせによって形成することができる。本実施形態では、密封筐体４は、光の入射面を形成する回転基板２と、光の出射面を形成する平面部材４ａと、回転基板２及び平面部材４ａを繋ぐ側面部材４ｂから構成されている。そして密封筐体４の回転基板２における外周側に透光性を有する領域を有しており、この透光性を有する領域によって、外部からの光が密封筐体４の内部に入射する光入射領域７０が形成されている。
【００１４】
回転基板２及び平面部材４ａは、少なくとも光源５２からの光が入射する光入射領域７０及び光を出射する出射領域８０において、透光性を有するようになっている。回転基板２は、例えば駆動装置４０によって回転する板状の部材であって、特に円板状の形状を有するのが好ましい。回転基板２には、密封筐体４が備えられているが、この場合、回転基板２が密封筐体４の１つの面を構成する場合もあり得るし、回転基板２とは個別の密封筐体４が回転基板２に取り付けられている場合もあり得る。側面部材４ｂは、透光性を有する部材で構成することもできるが、光が側方から逃げるのを防ぐ観点からは、透光性を有さない部材、特に好ましくは光反射性の部材で構成するのが好ましい。なお、回転基板２及び平面部材４ａは、全体が透光性を有する場合もあり得るし、光入射領域７０及び出射領域８０のみが透光性を有する場合もあり得る。
【００１５】
本実施形態では、密封筐体４に、外部から光が入射する光入射領域７０、及び密封筐体４から光が出射される出射領域８０が設けられ、冷却装置３０が、光入射領域７０よりも回転基板２の回転軸４０ａに近い位置において密封筐体４に接続されている。
冷却装置３０としては、放熱フィン等の放熱部材を用いることも、冷却液等を循環させる冷却装置３０を用いることも、その他の既知の任意の冷却手段を用いることもできる。
【００１６】
また、密封筐体４の内部には、気化した冷媒が流動可能な気体流動領域８と、液化した冷媒が流動可能な複数の微細流路を有する流動部６とを備える。この微細流路は、粒子と粒子の間の空隙によって形成され、空隙を形成する粒子として蛍光体粒子１０が用いられている。これにより、図１の矢印に示すように、光源５２からの光（右向きの白抜き矢印参照）が、光入射領域７０の回転基板２を透過して、光入射領域７０に配置された蛍光体粒子１０（微細流路を形成する粒子である）に入射し、蛍光体粒子１０により波長変換された光が、光源５２とは反対側の出射領域８０の平面部材４ａを透過して外部へ出射される（右向きの格子柄の矢印参照）。
【００１７】
本実施形態では、例えば、回転基板２の円周方向において、異なる波長域の光を発する蛍光対粒子１０を有する複数の密封筐体４が配置された蛍光体ホイール５０を用いることができる。例えば、蛍光体ホイール５０を光の出射側から見た側面図である図５（ａ）に示すように、光源５２から青色光が入射すると赤色光を出射する赤色蛍光体から少なくとも形成される微細流路を有する密封筐体４Ｒが設けられた赤色光出射領域と、光源５２から青色光が入射すると緑色光を出射する緑色蛍光体から少なくとも形成される微細流路を有する密封筐体４Ｇが設けられた緑色光出射領域と、密封筐体４を備えず光源５２からの青色光がそのまま透過する青色光を出射する青色光出射領域とを備える蛍光体ホイール５０を例示することができる。
このような構成の蛍光体ホイール５０を、例えば駆動装置４０を用いて回転させれば、時分割で、赤、緑及び青色の三原色を出射する光源６０を得ることができる。
【００１８】
冷却装置３０は、密封筐体４の光入射領域よりも回転基板２の回転軸４０ａに近い側の平面部材４ａ及び側面部材４ｂに接するように配置されている。冷却装置３０により、密封筐体４の光入射領域よりも回転基板２の回転軸４０ａに近い側に流れてきた気化した冷媒を冷却することができる。なお、本実施形態では、冷却装置３０が、内周側の面を有するリング状の密封筐体４の内周側の平面部材４ａの上、及び密封筐体４の光入射領域よりも回転基板２の回転軸４０ａに近い側の回転基板２上に配置されているが、これに限られるものではなく、密封筐体４の上にだけ配置されている場合もあり得る。
【００１９】
流動部６は、密封筐体４の内部の光の入射側（つまり回転基板２側）に配置されており、密封筐体４の内部の光の出射側（つまり平面部材４ａ側）には、気化した冷媒が流動可能な気体流動領域８（本実施形態では空間）が設けられている。複数の微細流路を有する流動部６は、冷却装置３０が配置された領域及び光入射領域７０を繋ぐように延びている。
【００２０】
流動部６は、蛍光体粒子１０同士が互いに結合されて形成され、微細流路は、蛍光体粒子１０と蛍光体粒子１０の間の空隙によって形成されている。なお、微細流路とは、毛細管現象が生じる大きさの流路断面を有する流路であり、粒子と粒子の間の空隙で形成される流路だけでなく、複数の溝２２から形成される流路や、メッシュ状の部材２４から形成される流路や、毛細管現象が生じるその他の任意の流路が含まれる。微細流路が粒子と粒子の間の空隙で形成される場合には、例えば、粒径が１μｍ〜１ｍｍの粒子が互いに接触して配置されている場合の粒子及び粒子の間の隙間として規定することもできるし、流路断面を円形断面に換算した場合において、内径１μｍ〜１ｍｍの流路として規定することもできる。
特に、粒子が蛍光体粒子の場合には、粒径が１μｍ〜５０μｍの粒子が互いに接触して配置されている場合の粒子及び粒子の間の隙間、または円形断面換算で内径１μｍ〜５０μｍの流路として規定することが好ましい。
【００２１】
上記のように、光源５２からの光が密封筐体４の光入射領域７０に配置された蛍光体粒子１０に入射したとき、波長変換光を出射するが、このとき、蛍光体粒子１０の温度が上昇する可能性があり、蛍光体粒子１０の温度が上昇すると、蛍光体粒子１０の波長変換効率が低下する可能性がある。
本実施形態では、蛍光体粒子１０の温度が上昇したとき、蛍光体粒子１０の周囲の冷媒が気化し、その気化熱により、蛍光体粒子１０を冷却することができる。そして、気化した冷媒が気体流動領域８を流動して、冷却装置３０が設けられた領域に達すると、冷却装置３０により冷却されて液化（凝縮）する。このとき、蛍光体粒子１０から奪った熱を密封筐体４の外部へ放出する。
【００２２】
図１に示すように、本実施形態では、 蛍光体粒子１０と蛍光体粒子１０の間の空隙によって、連続した微細流路が形成され、このような複数の連続した微細流路が、冷却装置３０が配置された領域及び光入射領域７０を繋ぐように延びている。よって、波長変換で高温になった蛍光体粒子１０の周囲の冷媒が気化し、気化した冷媒が冷却装置３０の近傍へ流れ、冷却装置３０による冷却で液化（凝縮）する。液化した冷媒は、流動部６の複数の微細流路によって、再び光入射領域７０へ流動し、これにより冷却サイクルが形成される。すなわち、冷媒が密封筐体内を循環することとなり、気化と液化を繰り返すこととなる。このような冷媒の流動サイクルを、図１の密封筐体内に矢印で示す。実線の矢印が液化した冷媒の流れを示し、点線の矢印が気化した冷媒の流れを示す。以上のように、ポンプのような駆動源を用いることなく、冷媒による蛍光体粒子１０の冷却サイクルを構成することができ、蛍光体粒子１０の光変換効率の低下を効率的に防ぐことができる。なお、回転基板２が回転しているので、微細流路の毛細管力に加えて遠心力も液化した冷媒にかかるが、これについては、図７を用いて追って詳細に述べる。また、気化した冷媒が流動する場合の遠心力の影響についても、図７を用いて追って詳細に述べる。
【００２３】
以上のように、本実施形態によれば、微細流路が、冷却装置３０が配置された領域及び光入射領域７０を繋ぐように延びているので、冷媒による蛍光体粒子１０の冷却サイクルを確実に形成することができ、蛍光体の温度上昇を効果的に抑制することができる。
上記のように、本実施形態では、微細流路が密封筐体４内の一部の領域にのみ配置されていて、気化した冷媒が流動する気体流動領域８が空間となっていることにより、効果的に気化した冷媒を流すことができる。
ただし、これに限られる訳ではなく、気体流動領域８に通気路の設けられた物体やポーラスな物質が存在する場合もあり得る。更に、気体流動領域８に微細流路が設けられている場合もあり得る。この場合には、毛細管現象で液状の冷媒が流動する微細流路（流動部６）と、気体の冷媒が流動する微細流路（気体流動領域８）とを有する。
【００２４】
流動部６は、蛍光体粒子１０同士が互いに結合された構造を有し、微細流路は、蛍光体粒子１０と蛍光体粒子１０の間の空隙によって形成されている。
【００２５】
＜流動部の形成方法の説明＞
このような流動部を形成する方法の具体例としては、まず、蛍光体粒子及び酸化物粒子を有機溶剤（例えば、ブチルカルビトールアセテール）及び樹脂（例えば、エチルセルロース、アクリル系樹脂等）に混合してペーストを調製し、このペーストを筐体の内部の流動部が形成される位置に印刷法により塗布する。次に、有機溶剤及び樹脂を除去した後に、３００℃以上、好ましくは４００℃以上の温度で焼成を行い、樹脂をほぼ完全に除去する。これにより、蛍光体粒子の表面に複数の酸化物粒子が付着した状態となり、更にこの蛍光体粒子と酸化物粒子の表面にコーティング層を形成する。このコーティング層は、無機材料であることが好ましく、これにより、蛍光体粒子と蛍光体粒子の間の空隙を含む（つまり微細流路を含む）流動部６を得ることができる。
【００２６】
特に、コーティング層としては、Ａｌ２Ｏ３、ＳｉＯ２等が好ましく、さらには酸化物粒子をこのコーティング層と同じ材料とすることが好ましい。またコーティング層は、原子層堆積法（ＡＬＤ）、ゾルゲル法、ＭＯＣＶＤ（有機金属化学的気相成長）法、ＰＥＣＶＤ（プラズマＣＶＤ）法、ＣＶＤ法、大気圧プラズマ成膜法、スパッタ法、蒸着法等を利用することができる。
【００２７】
図１に示す実施形態では、微細流路を形成する粒子の全てが蛍光体粒子１０で構成されているが、これに限られるものではなく、流動部６において、少なくとも、外部から光が入射する光入射領域７０に蛍光体粒子１０が配置されていればよい。
本実施形態によれば、光入射領域７０に蛍光体粒子１０が配置されているので、入射光は波長変換され、所望の波長域の光を出力することができる。
【００２８】
＜蛍光体ホイール５０及び光源装置６０を構成する各部材の説明＞
以下に、蛍光体ホイール５０及び光源装置６０を構成する各部材の更に詳細な説明を行う。
［光源５２］
光源５２として青色半導体レーザを用いる場合には、３７０〜５００ｎｍの波長域の光を発することが好ましく、４２０〜５００ｎｍの波長域の光を発することが更に好ましい。ただし、光源５２として青色半導体レーザを用いる場合に限られるものではなく、その他の任意の波長域の半導体レーザを用いることもできるし、その他の種類の光源、例えば発光ダイオード（ＬＥＤ）を用いることもできる。
【００２９】
［回転基板２］
回転基板２は、光の入射面または出射面として機能する場合には、光を透過させる透明な部材からなり、素材として、ガラス、樹脂材料、サファイア、窒化ガリウム等の透光性を有する材料を用いることができる。また、回転基板２が光の反射面として機能する場合には、光を透過しない樹脂材料や、銅、アルミニウム、ステンレススチール等の金属材料を用いることができる。回転する基板としては、光の入射面に垂直な方向に見て円形であることが好ましい（図５参照）。
【００３０】
［密封筐体４］
密封筐体４は、ヒートシンクの筐体として機能するので、熱伝導率が高い方が好ましく、それを考慮すれば、銅、アルミニウム、ステンレススチール等の金属材料を例示できる。ただし、樹脂材料、サファイア、窒化ガリウム、ガラス、セラミック材料等を用いることもできる。特に、密封筐体は透光性を有する面を有しているが、この透光性を有する面には、樹脂材料、サファイア、窒化ガリウム、ガラス等を用いる必要がある（上記のように、回転基板２が透光性を有する面を構成する場合もあり得る）。例えば、１つの面の一部だけが透光性を有する場合、光を透過しない部分を金属材料で形成し、光を透過する部分を樹脂材料またはガラスで形成することも考えられる。また、光を透過しない樹脂材料と光を透過する樹脂材料を一体成形（二色成形）した密封筐体４を用いることもできる。
【００３１】
［冷却装置３０］
冷却装置３０として、例えば熱伝導性のよい銅などの金属の板を用いて外気と接触する面積を大きくすることや、銅などの金属の板が複数枚設けられた放熱フィン等の放熱部材を用いることも、冷却液等を循環させる冷却装置を用いることも、その他の既知の任意の冷却手段を用いることもできる。この冷却装置は、回転基板２の上に設けられている場合もあるし、回転基板２とは別の回転しない装置であって、接触や冷却流体の吹きつけ等によって密封筐体４を冷却するものも含まれる。内周側の面を有するリング状の密封筐体４の内周側の面に設けられている場合も、密封筐体４よりも更に内側の回転基板２上に設けられている場合も、図１に示すように、密封筐体４の内周側の面上及び密封筐体４よりも更に内側の回転基板２上の両方に配置されている場合もあり得る。また、冷却装置は密封筐体に熱的に接続されていればよい。
【００３２】
［駆動装置４０］
駆動装置４０として、例えば、ブラシレス直流駆動モータを用いることができる。駆動装置４０の回転速度は、再生する動画のフレームレート（１秒当たりのフレーム数。単位は［ｆｐｓ］）に基づく回転速度となる。例えば、６０［ｆｐｓ］の動画を再生可能とする場合、駆動装置４０（つまり蛍光体ホイール５０）の回転速度は、毎秒６０回転の整数倍に定めるとよい。
【００３３】
［蛍光体粒子１０］
蛍光体粒子１０として、上述のように光源から青色光が入射した場合に、赤色光を出力する赤色蛍光体粒子、緑色光を出力する緑色蛍光体粒子、黄色光を出力する黄色蛍光体粒子を例示することができる。
赤色光を出力する赤色蛍光体粒子では、約６００〜８００ｎｍの波長帯域の赤色の蛍光を発生させることが好ましい。具体的な材料の一例としては、（Ｓｒ，Ｃａ）ＡｌＳｉＮ３：Ｅｕ、ＣａＡｌＳｉＮ３：Ｅｕ、ＳｒＡｌＳｉＮ３：Ｅｕ、Ｋ２ＳｉＦ６：Ｍｎ等を挙げることができる。
緑色光を出力する蛍光体粒子では、約５００〜５６０ｎｍの波長帯域の緑色の蛍光を発生させることが好ましい。具体的な材料の一例としては、β−Ｓｉ６−ＺＡｌＺＯＺＮ８−Ｚ：Ｅｕ、Ｌｕ３Ａｌ５Ｏ１２：Ｃｅ、Ｃａ８ＭｇＳｉ４Ｏ１６Ｃｌ２：Ｅｕ、Ｂａ３Ｓｉ６Ｏ１２Ｎ２：Ｅｕ、（Ｓｒ，Ｂａ，Ｃａ）Ｓｉ２Ｏ２Ｎ２：Ｅｕ等を挙げることができる。
黄色光を出力する蛍光体粒子では、約５４０〜７００ｎｍの波長帯域の黄色〜赤色の蛍光を発生させることが好ましい。材料の一例としては、セリウムで付活されたイットリウム・アルミニウム酸化物系蛍光体をベースとした蛍光体を挙げることができ、更に具体的には、ＹＡｌＯ３：Ｃｅ、Ｙ３Ａｌ５Ｏ１２：Ｃｅ（ＹＡＧ：Ｃｅ）やＹ４Ａｌ２Ｏ９：Ｃｅ、更にはこれらの混合物等が挙げられる。イットリウム・アルミニウム酸化物系蛍光体にＢａ、Ｓｒ、Ｍｇ、Ｃａ、Ｚｎの少なくとも一種が含有されていてもよい。また、Ｓｉを含有させることによって、結晶成長の反応を抑制し蛍光体の粒子を揃えることができる。
【００３４】
［フィルタ］
回転基板２や密封筐体４の光入射領域７０及び出射領域８０において、誘電体多層膜の蒸着によりフィルタを備えることができる。このフィルタは、用途や透過または反射する光の波長域に応じて、ショートパスフィルタ、バンドパスフィルタ、ロングパスフィルタを適宜用いることができる。また、輝度ムラ及び色度ムラを改善するために、散乱体、例えばＳｉＯ２やＴｉＯ２、Ｂａ２ＳＯ４等の粒子を塗布することもできる。
このようなフィルタにより、回転基板２の光入射領域７０において、光源５２からの光が反射する抑止し、密封筐体４の出射領域８０において、所定の波長域の光のみを出射することができるので、性能の高い光源装置６０を実現できる。
【００３５】
以上のように、図１に示す本実施形態によれば、蛍光体粒子１０の温度が上昇したとき、蛍光体粒子１０の周囲の冷媒が気化して、気化熱で蛍光体粒子１０を冷却し、気化した冷媒が気体流動領域８を流れて、冷却装置３０が配置された領域に達すると、冷却装置３０で冷却されて液化する。このとき冷媒は蛍光体粒子１０から奪った熱を密封筐体４の外部に放出する。さらに液化した冷媒は、流動部６の複数の微細流路によって再び光入射領域７０に流動する。このような冷却サイクルにより、ポンプ等を有する大がかりな冷却装置を用いることなく、蛍光体粒子１０を冷却して、蛍光体粒子１０の光変換効率の低下を効率的に防ぐことができる。
よって、本実施形態では、駆動源を有さずに蛍光体粒子１０を効率的に冷却可能で、稼働時におけるエネルギ消費が少ない蛍光体ホイール５０及び光源装置６０を提供することができる。また、蛍光体ホイール５０は、優れた冷却機能を有しながらも小型化が実現でき、製造コストの低い蛍光体ホイール５０を得ることができる。
【００３６】
また、本実施形態に係る光源装置６０は、上記の実施態様に係る蛍光体ホイール５０が奏する作用効果を得ることができ、駆動源を有さずに蛍光体を効率的に冷却可能で稼働時におけるエネルギ消費が少ない光源装置６０を提供することができる。
なお、本実施形態に係る光源装置６０は、プロジェクタの光源装置をはじめとする、異なる波長域の光を時分割に用いる任意の用途に適用することができる。
【００３７】
（本発明のその他の実施形態（その１）に係る蛍光体ホイール及びこの蛍光体ホイールを備えた光源装置の説明）
次に、図２を用いて、本発明のその他の実施形態（その１）に係る蛍光体ホイール５０及びこの蛍光体ホイールを備えた光源装置６０の説明を行う。図２は、本発明のその他の実施形態（その１）に係る蛍光体ホイール５０及びこの蛍光体ホイールを備えた光源装置６０を模式的に示す断面図である。
図２に示す本実施形態と、図１に示す実施形態とを比較すると、流動部６の構成が異なり、その他の部分については同一である。よって、ここでは、図１に示す実施形態と異なる点についてのみ説明を行い、図１に示す実施形態と同一の部分についての説明は省略する。
【００３８】
図２において、流動部６は、密閉筐体４の光入射領域７０及びその近傍領域、並びにそれよりも回転基板２の回転軸４０ａに近い側における密閉筐体４のその他の領域（冷却装置３０が配置された領域を含む）の２つの領域において、異なる構成を有している。つまり、流動部６の光入射領域７０及びその近傍領域に蛍光体粒子１０が配置され、その他の領域には、光拡散材粒子１２が配置されている。なお、光拡散材粒子１２としては、ＳｉＯ２やＴｉＯ２、Ｂａ２ＳＯ４等の粒子を例示することができるが、これに限られるものではない。
【００３９】
蛍光体粒子１０と蛍光体粒子１０の間の空隙、光拡散材粒子１２と光拡散材粒子１２の間の空隙、及び蛍光体粒子１０と光拡散材粒子１２の間の空隙によって、連続した微細流路を形成することができる。このような複数の連続した微細流路が、冷却装置３０が配置された領域及び光入射領域７０を繋ぐように延びている。
よって、上記と同様に、波長変換で高温になった蛍光体粒子１０の周囲の冷媒が気化し、気化した冷媒が冷却装置３０の近傍へ流れ、冷却装置３０による冷却で液化した冷媒は、流動部６の複数の微細流路によって、再び光入射領域７０へ流動し、これにより冷却サイクルが形成される。このような冷媒の流動サイクルを、図２の密封筐体内に矢印で示す。実線の矢印が液化した冷媒の流れを示し、点線の矢印が気化した冷媒の流れを示す。以上のように、ポンプのような駆動源を用いることなく、冷媒による蛍光体粒子１０の冷却サイクルを構成することができ、蛍光体粒子１０の光変換効率の低下を効率的に防ぐことができる。
【００４０】
本実施形態では、光入射領域７０及びその近傍領域に蛍光体粒子１０が配置され、その他の領域に光拡散材粒子１２が配置されているので、光拡散材粒子１２の粒径を蛍光体粒子１０の粒径よりも大きくしたり、小さくしたりすることができる。例えば、粒径を、光拡散材粒子１２のほうが蛍光体粒子１０より大きくすることにより、光拡散材粒子が設けられた領域の空隙を比較的大きく設けることができ、光拡散材粒子１２が設けられた領域での冷媒の移動を早くすることができたりする。
【００４１】
（本発明のその他の実施形態（その２）に係る蛍光体ホイール及びこの蛍光体ホイールを備えた光源装置の説明）
次に、図３を用いて、本発明のその他の実施形態（その２）に係る蛍光体ホイール５０及びこの蛍光体ホイール５０を備えた光源装置６０の説明を行う。図３は、本発明のその他の実施形態（その２）に係る蛍光体ホイール５０及びこの蛍光体ホイール５０を備えた光源装置６０を模式的に示す断面図である。
図３に示す本実施形態と、図１及び図２に示す実施形態とを比較すると、流動部６の構成が異なり、その他の部分については同一である。よって、ここでは、図１及び図２に示す実施形態と異なる点についてのみ説明を行い、図１及び図２に示す実施形態と同一の部分についての説明は省略する。
【００４２】
図３において、流動部６は、密閉筐体４の光入射領域７０及びその近傍領域、その隣接領域、並びに密閉筐体４の光入射領域よりも回転基板２の回転軸４０ａに近い側の領域（つまり冷却装置３０が配置された領域）の３つの領域において、異なる構成を有している。つまり、流動部６の光入射領域７０及びその近傍領域に蛍光体粒子１０が配置され、その隣接領域に光拡散材粒子１２が配置され、密閉筐体４の光入射領域よりも回転基板２の回転軸４０ａに近い側の領域には、メッシュ状の部材２４が配置されている。
メッシュ状の部材２４は、ヒートシンクのウイックと称する毛細管構造体であり、銅、アルミニウム、ステンレス鋼といった金属材料や、合金材料、または多孔質の非金属材料で形成することができる。
【００４３】
密閉筐体４の光入射領域よりも回転基板２の回転軸４０ａに近い側の領域の領域には、メッシュ状の部材２４による連続した微細流路が形成され、それよりも外周側には、上記のように、蛍光体粒子１０と蛍光体粒子１０の間の空隙、光拡散材粒子１２と光拡散材粒子１２の間の空隙、及び蛍光体粒子１０と光拡散材粒子１２の間の空隙によって、連続した微細流路を形成することができる。よって、メッシュ状の部材２４、光拡散材粒子１２及び蛍光体粒子１０によって形成された複数の連続した微細流路が、冷却装置３０が配置された領域及び光入射領域７０を繋ぐように延びている。
【００４４】
よって、上記と同様に、波長変換で高温になった蛍光体粒子１０の周囲の冷媒が気化し、気化した冷媒が冷却装置３０の近傍へ流れ、冷却装置３０による冷却で液化した冷媒は、流動部６の複数の微細流路によって、再び光入射領域７０へ流動し、これにより冷却サイクルが形成される。このような冷媒の流動サイクルを、図３の密封筐体内に矢印で示す。実線の矢印が液化した冷媒の流れを示し、点線の矢印が気化した冷媒の流れを示す。以上のように、ポンプのような駆動源を用いることなく、冷媒による蛍光体粒子１０の冷却サイクルを構成することができ、蛍光体粒子１０の光変換効率の低下を効率的に防ぐことができる。
【００４５】
本実施形態によれば、流動部６の微細流路の一部が、メッシュ状の部材２４によって形成されるので、粒子と粒子の間の空隙によって形成された微細流路とともに、より多くの液状の冷媒を効果的に流動させることができる。
【００４６】
（本発明のその他の実施形態（その３）に係る蛍光体ホイール及びこの蛍光体ホイールを備えた光源装置の説明）
次に、図４を用いて、本発明のその他の実施形態（その３）に係る蛍光体ホイール５０及びこの蛍光体ホイール５０を備えた光源装置６０の説明を行う。図４は、本発明のその他の実施形態（その３）に係る蛍光体ホイール５０及びこの蛍光体ホイール５０を備えた光源装置６０を模式的に示す断面図である。
図４に示す本実施形態と、図１、図２及び図３に示す実施形態とを比較すると、流動部６の構成が異なり、その他の部分については同一である。よって、ここでは、図１、図２及び図３に示す実施形態と異なる点についてのみ説明を行い、図１、図２及び図３に示す実施形態と同一の部分についての説明は省略する。
【００４７】
図４（ａ）において、流動部６は、光入射領域７０及びその近傍領域、並びにそれよりも内側のその他の領域（冷却装置３０が配置された領域を含む）の２つの領域において異なる構成を有している。つまり、流動部６の光入射領域７０及びその近傍領域に、蛍光体粒子である黄色蛍光体粒子１０ａ及び赤色蛍光体粒子１０ｂと、光拡散材粒子１２とが配置され、その他の領域には、光拡散材粒子１２のみが配置されている。
【００４８】
光入射領域７０及びその近傍領域では、光源５２に近い側から、光拡散材粒子１２、黄色蛍光体粒子１０ａ、赤色蛍光体粒子１０ｂの順に積層されている。これにより、光源５２からの光（右向きの白抜き矢印参照）を、光拡散材粒子１２で拡散させて、光強度を均等にして、黄色蛍光体粒子１０ａ及び赤色蛍光体粒子１０ｂで波長変換を行って、出射領域８０から出射する（右向きの格子柄の矢印参照）。黄色蛍光体及び赤色蛍光体を用いることにより、演色性の高い赤色光を出射することができる。
【００４９】
本実施形態では、図４の上側に示す黄色蛍光体粒子１０ａ及び赤色蛍光体粒子１０ｂを有する密封筐体４Ｒだけでなく、図４の下側に示すように、緑色蛍光体粒子１０ｃを有して、光源５２からの光が入射すると、緑色光を出射する密封筐体４Ｇを備える。なお、密封筐体４Ｇでは、流動部６の光入射領域７０及びその近傍領域に緑色蛍光体粒子１０ｃが配置され、それよりも内側の領域には、光拡散材粒子１２が配置されている。
【００５０】
このような密封筐体４Ｒ、４Ｇの配置を、図４（ａ）の矢視Ａ−Ａから見た側面図、つまり蛍光体ホイール５０を光の出射側から見た側面図である図５（ａ）を用いて説明する。図５（ａ）に示すように、回転基板２の円周方向において、赤色光を出射する密封筐体４Ｒが設けられた赤色光出射領域と、緑色光を出射する密封筐体４Ｇが設けられた緑色光出射領域と、密封筐体４を備えず光源５２からの青色光がそのまま透過して青色光を出射する青色光出射領域とを備えている。このような構成の蛍光体ホイール５０を駆動装置４０により回転させることによって、図５（ａ）に示す光が透過する領域から、赤、緑及び青色の三原色の光を、時分割で出射することができる。
【００５１】
よって、本実施形態によれば、流動部６において、光入射領域７０及び近傍領域に、種類の異なる粒子で形成された複数の層が形成されているので、用途に応じた最適な波長変換光を出射することができる。なお、種類の異なる粒子で形成された単一の層が形成されている場合もあり得る。種類の異なる粒子とは、蛍光体粒子１０及び蛍光体粒子以外の粒子の場合もあるし、異なる種類の蛍光体粒子１０の場合もあり得るし、異なる種類の蛍光体粒子１０及び蛍光体粒子以外の粒子の場合もあり得る。
【００５２】
更に、本実施形態では、微細流路の一部として、密封筐体４の内面に設けられた複数の溝２２によって、溝領域２０が形成されている。図４（ａ）の矢視Ｂ−Ｂの断面図である図４（ｂ）に示すように、密封筐体４の内面となる回転基板２の面に、複数の微細な溝２２が形成された溝領域２０が設けられており、液化した冷媒は、毛細管現象により微細な溝２２内を流動することができる。つまり、溝２２が微細流路に該当する。
【００５３】
複数の微細な溝２２が形成された溝領域２０について、図５（ｂ）を用いて、更に詳細に説明する。図５（ｂ）は、密封筐体４の内面となる回転基板２の面、つまり、図５（ａ）の側面図から密封筐体４Ｒ、４Ｇを取り除いた場合の面を示している。図５（ｂ）は、回転基板２の面に設けられた複数の溝２２によって形成された微細流路の一例を示している。
図５（ａ）では、回転基板２の面に設けられた複数の溝２２が、回転基板２の円の中心領域から放射状に直線的に延びている。そして、円の外周側に光入射領域７０及び出射領域８０が設けられ、円の内側に冷却装置３０が設けられる（図５（ａ）参照）。
以上のように、各粒子間の隙間で形成された微細流路、及び複数の溝２２による溝領域２０からなる微細流路によって、密封筐体４の回転基板２における回転軸４０ａ側から外周側に向けて、効果的に液化した冷媒を流動させることができる。
【００５４】
図４の上側に示す密封筐体４Ｒでは、流動部６の微細流路は、各粒子の間の隙間で形成された領域と、その下側に配置された溝領域２０から構成されている。そして各粒子の間の隙間で形成され領域は、光入射領域７０及びその近傍領域において、黄色蛍光体粒子１０ａ、赤色蛍光体粒子１０ｂ及び光拡散材粒子１２で形成され、その他の領域において、光拡散材粒子１２で形成されている。
黄色蛍光体粒子１０ａ、赤色蛍光体粒子１０ｂ及び光拡散材粒子１２の各粒子の間の空隙によって、連続した微細流路を形成することができる。よって、各粒子によって形成された複数の連続した微細流路が、冷却装置３０が配置された領域及び光入射領域７０を繋ぐように延びている。
【００５５】
よって、本実施形態によれば、微細流路の一部が、密封筐体４の内面に設けられた複数の溝２２によって形成されるので、粒子と粒子の間の空隙によって形成された微細流路とともに、より多くの液状の冷媒を効果的に流動させることができる。
なお、図４の下側に示す密封筐体４Ｇでも同様である。
【００５６】
以上のように、波長変換で高温になった蛍光体粒子１０の周囲の冷媒が気化し、気化した冷媒が冷却装置３０の近傍へ流れ、冷却装置３０による冷却で液化した冷媒は、流動部６の粒子と粒子の間の空隙によって形成された複数の微細流路、及び密封筐体４の内面に設けられた溝２２からなる複数の微細流路によって、再び光入射領域７０へ流動し、これにより冷却サイクルが形成される。このような冷媒の流動サイクルを、図４（ａ）の密封筐体内に矢印で示す。実線の矢印が液化した冷媒の流れを示し、点線の矢印が気化した冷媒の流れを示す。以上のように、ポンプのような駆動源を用いることなく、冷媒による蛍光体粒子１０の冷却サイクルを構成することができ、蛍光体粒子１０の光変換効率の低下を効率的に防ぐことができる。
【００５７】
（本発明のその他の実施形態（その４）に係る蛍光体ホイール及びこの蛍光体ホイールを備えた光源装置の説明）
次に、図６を用いて、本発明のその他の実施形態（その４）に係る蛍光体ホイール５０及びこの蛍光体ホイール５０を備えた光源装置６０の説明を行う。図６は、本発明のその他の実施形態（その４）に係る蛍光体ホイール５０及びこの蛍光体ホイール５０を備えた光源装置６０を模式的に示す断面図である。
【００５８】
図６に示す本実施形態と、図１及び図２〜図４に示す実施形態とを比較すると、図１及び図２〜図４に示す実施形態では、回転基板における一方の側から他方の側に透過する透過型の光源装置６０が示されているが、図６に示す実施形態では、一方の側から入射し、同じ側に反射する反射型の光源装置６０が示されている。
具体的な構成では、図１に示す実施形態と比べて、密閉筐体４の面部の構成が異なり、その他の部分については同一である。よって、ここでは、図１に示す実施形態と異なる点についてのみ説明を行い、図１に示す実施形態と同一の部分についての説明は省略する。
【００５９】
図１に示す密閉筐体４では、回転基板２からなる入射面、及び平面部材４ａからなる出射面が共に透光性を有するが、図６に示す実施形態では、回転基板２は透光性を有するが、平面部材４ａは透光性を有さない点で異なる。例えば、回転基板２を透明なガラスまたは樹脂材料で形成し、平面部材４ａを金属材料で形成することで実現できる。この場合には、密閉筐体４の一部に、熱電伝導率の高い金属材料を用いることができるので、蛍光体粒子１０の冷却効率を高めることができる。特に、冷却装置３０と接する領域を金属材料で形成できるので、気化した冷媒の冷却を強化することができる。ただし、これに限られるものではなく、平面部材４ａを樹脂材料等で形成することもできる。
なお、透光性を有さない密閉筐体４の平面部材４ａの内面は、光を反射する反射膜が設けられた反射面１８になっている。
【００６０】
図６に示す本実施形態に係る光源装置６０では、光源５２と、蛍光体ホイール５０との間に光学部材５４が設置されている。光学部材５４は、光源５２からの光と同じ波長域の光は透過するが、その他の波長域の光は反射するようになっており、ダイクロイックミラーの機能を果たしている。
つまり、光源５２から出射された光は、光学部材５４を透過して、蛍光体ホイール５０へ入射し（右向きの白抜きの矢印参照）、蛍光体粒子１０で波長変換される。さらに密閉筐体４の光源５２から離れた側の反射面１８で反射されて、再び蛍光体ホイール５０から出射され（左向きの格子状の矢印参照）、光学部材５４によって直交する方向へ反射される（上向きの格子状の矢印参照）。
【００６１】
（本発明のその他の実施形態（その５）に係る蛍光体ホイール及びこの蛍光体ホイールを備えた光源装置の説明）
次に、図７を用いて、本発明のその他の実施形態（その５）に係る蛍光体ホイール５０及びこの蛍光体ホイールを備えた光源装置６０の説明を行う。図７は、本発明のその他の実施形態（その５）に係る蛍光体ホイール５０及びこの蛍光体ホイールを備えた光源装置６０を模式的に示す断面図である。
【００６２】
図７に示す本実施形態と、図１〜図６に示す上記の各実施形態とを比較すると、上記の各実施形態では、密封筐体４の中に、液状の冷媒を流動可能な複数の微細流路を回転軸から外周に向かう方向のすべてに有する流動部６を備えているが、本実施形態では、微細流路を入射領域に有し、その他の領域には有しておらず、液化した冷媒が流動する流動部６及び気化した冷媒が流動する気体流動領域８が共に空間になっている点で異なる。つまり、蛍光体が光入射領域７０を含む一部の領域のみに設けられている。図７では、流動部６及び気体流動領域８が仕切り板２６で仕切られているが、仕切り板２６がない場合もあり得る。
【００６３】
本実施形態に係る蛍光体ホイール５０は、冷媒が封入された密封筐体４を備えた回転基板２と、気化された冷媒を冷却するための冷却装置３０と、を備える。さらに、密封筐体４の回転基板２における外周側に、外部から光が入射する光入射領域７０が配置され、密封筐体４の光入射領域よりも回転基板２の回転軸４０ａに近い側に、冷却装置３０が配置され、光入射領域７０に蛍光体粒子１０を有する。つまり、ただし、本実施形態の蛍光体粒子１０は、粒子間に微細流路を形成するための空隙を有する必要は無い。また本実施形態にかかる蛍光体ホイールは５０は、回転基板２を回転させる駆動装置４０を備えてもよい。図７に示す実施形態では、透過型の蛍光体ホイールを示しているが、これに限られるものではなく、反射型の蛍光体ホイールの場合もあり得る。
【００６４】
密封筐体４の光入射領域７０及びその近傍領域において、光の入射で蛍光体粒子１０の温度が上昇したとき、蛍光体粒子１０の周囲の冷媒が気化し、その気化熱により、蛍光体粒子１０を冷却することができる。そして、気化した冷媒は、密封筐体４内を冷却装置３０が配置された光入射領域７０よりも回転基板２の回転軸４０ａに近い位置に流れて、冷却装置３０によって冷却されて液化（凝縮）する。このとき、蛍光体粒子１０から奪った熱を密封筐体４の外部へ放出する。液化した冷媒は、回転する回転基板２の遠心力によって、再び蛍光体粒子１０のいる光入射領域７０に流動し、これにより冷却サイクルが形成される。このような冷媒の流動サイクルを、図７の密封筐体内に矢印で示す。実線の矢印が液化した冷媒の流れを示し、点線の矢印が気化した冷媒の流れを示す。
【００６５】
よって、ポンプのような駆動源を用いることなく、冷媒による蛍光体粒子の冷却サイクルを構成することができ、蛍光体の光変換効率の低下を効率的に防ぐことができる。
なお、気化した冷媒が、冷却装置３０が配置された光入射領域よりも回転基板２の回転軸４０ａに近い位置に流れる場合、回転する回転基板２の遠心力は流れを妨げる方向にかかる。しかし、気体及び液体の体積比は非常に大きいので、気化する外周側及び液化（凝縮）する側（光入射領域よりも回転基板２の回転軸４０ａに近い側）の間の気圧差は大きく、気化した冷媒は、遠心力に抗して、外周側から光入射領域よりも前記回転基板２の回転軸４０ａに近い位置、つまり光入射領域７０から冷却装置３０の方へ流れる。この気化した冷媒が、遠心力に抗して流動する点に関しては、上記の図１〜図６に示す実施形態の場合においても同様である。
気化した冷媒が流動する領域は、本実施形態では空間となっているが、これに限られるものではなく、例えば、通気路の設けられた物体やポーラスな物質が存在する場合もあり得る。
【００６６】
以上のように、本実施形態によれば、蛍光体粒子１０の温度が上昇したとき、蛍光体粒子１０近傍の冷媒が気化する。気化した冷媒が冷却装置３０の方へ流れて、冷却装置３０で冷却されて液化すると、回転する回転基板２の遠心力によって、液状の冷媒を再び温度が上昇した蛍光体粒子１０の領域へ流動させることができる。このような冷却サイクルにより、ポンプ等を有する大がかりな冷却装置を用いることなく、蛍光体粒子を冷却して、蛍光体粒子の光変換効率の低下を効率的に防ぐことができる。
よって、本実施形態では、駆動源を有さずに蛍光体を効率的に冷却可能で稼働時におけるエネルギ消費が少ない蛍光体ホイール５０を提供することができる。
本実施形態に係る光源装置６０は、上記の実施形態に係る蛍光体ホイール５０が奏する作用効果を全て得ることができ、駆動源を有さずに蛍光体を効率的に冷却可能で稼働時におけるエネルギ消費が少ない光源装置６０を提供することができる。
【００６７】
なお、図１〜図６に示す実施形態では、複数の微細流路を有する流動部６を備えているので、上記の遠心力だけでなく、毛細管力による流動力が加わっているので、より確実に液化した冷媒を、光入射領域よりも回転基板２の回転軸４０ａに近い位置の冷却装置３０の位置から外周側の蛍光体粒子１０のいる光入射領域７０へ流動させることができる。また、微細流路によって、確実に液化した冷媒を蛍光体粒子１０のいる光入射領域７０へ導くことができる。
【００６８】
（本発明のプロジェクタの説明）
次に、図８を用いて、上述の実施形態で示した光源装置６０を、いわゆる１チップ方式のＤＬＰプロジェクタにおける光源装置として用いる場合を説明する。なお、図８は、上述の実施形態で示した光源装置６０を備えたプロジェクタ９０の構成を示すための模式図であって、光源装置６０やプロジェクタ９０を上から見た模式的な平面図である。
【００６９】
図８において、光源装置６０のから出射された光は、光学系を介して、光空間変調器であるＤＭＤ（Digital Micromirror Device）素子（光変調手段）９２に入射する。そして、ＤＭＤ素子９２で反射され、投射手段である投射レンズ９４によって集光されて、スクリーン９６に投影される。ＤＭＤ素子９２は、スクリーンに投影された画像の各画素に相当する微細なミラーをマトリックス状に配列したものであり、各ミラーの角度を変化させてスクリーンへ出射する光を、マイクロ秒単位でオン／オフすることができる。
また、各ミラーをオンにしている時間とオフにしている時間の比率によって、投射レンズへ入射する光の階調を変化させることにより、投影する画像の画像データに基づいた階調表示が可能になる。
【００７０】
なお、本実施形態では、光変調手段としてＤＭＤ素子を用いているが、これに限られるものではなく、用途に応じて、その他任意の光変調素子を用いることができる。また、本発明に係る光源装置６０及びこの光源装置６０を用いたプロジェクタ９０は、上述した実施形態に限られるものではなく、その他の様々な実施形態が本発明に含まれる。
【００７１】
本発明の実施の形態、実施の態様を説明したが、開示内容は構成の細部において変化してもよく、実施の形態、実施の態様における要素の組合せや順序の変化等は請求された本発明の範囲および思想を逸脱することなく実現し得るものである。
【符号の説明】
【００７２】
２        回転基板
４        密封筐体
４Ｒ      赤色出射領域に対応する密封筐体
４Ｇ      緑色出射領域に対応する密封筐体
４ａ      平面部材
４ｂ      側面部材
６        流動部
８        気体流動領域
１０      蛍光体粒子
１０ａ    黄色蛍光体粒子
１０ｂ    赤色蛍光体粒子
１０ｃ    緑色蛍光体粒子
１２      光拡散材粒子
１８      反射面
２０      溝領域
２２      溝
２４      メッシュ状の部材
２６      仕切り板
３０      冷却装置
４０      駆動装置
４０ａ    回転軸
５０      蛍光体ホイール
５２      光源
５４      光学部材
６０      光源装置
７０      光入射領域
８０      出射領域
９０      プロジェクタ
９２      ＤＭＤ素子
９４      投射レンズ
９６      スクリーン
【図１】
2017027685.tif 000003
【図２】
2017027685.tif 000004
【図３】
2017027685.tif 000005
【図４】
2017027685.tif 000006
【図５】
2017027685.tif 000007
【図６】
2017027685.tif 000008
【図７】
2017027685.tif 000009
【図８】
2017027685.tif 000010